(57)【特許請求の範囲】
【請求項１】
卓上に載置された状態でメモ書きに用いられる、メモ帳であって、
複数枚のメモ用紙が積層されて構成される積層用紙と、
シート状に構成され、前記卓上を滑ることを防止する防滑シートと、
前記防滑シートが一方の面に合紙して配置されるとともに、前記積層用紙が他方の面に配置される台紙と、を備え、
前記防滑シートは、セルロース繊維と、発泡剤と、アクリル系樹脂剤と、を主たる成分として構成される、
メモ帳。
【請求項２】
前記防滑シートが裏面に設けられる表表紙を備える、
請求項１に記載のメモ帳。
【請求項３】
複数枚のメモ用紙が積層されて構成される積層用紙と、
セルロース繊維と、発泡剤と、アクリル系樹脂剤と、を主たる成分として構成され、これらを混合してシート状に構成され、卓上を滑ることを防止する防滑シートと、
前記防滑シートが一方の面に配置されるとともに、前記積層用紙が他方の面に配置される台紙と、を備え、前記卓上に載置された状態でメモ書きに用いられるメモ帳の製造方法であって、
前記防滑シートを、前記台紙の一方の面に合紙して配置する工程と、
前記積層用紙を、前記台紙の他方の面に配置する工程と、を備える、
メモ帳の製造方法。
【発明の詳細な説明】
【技術分野】
【０００１】
本発明は、メモ帳、および、メモ帳の製造方法の技術に関する。
【背景技術】
【０００２】
従来、複数枚のメモ用紙が積層されて構成される積層用紙を備え、卓上に載置された状態でメモ書きに用いられる、メモ帳に関する技術は公知となっている（例えば、特許文献１参照）。
このようなメモ帳では、卓上に載置された状態でこれにメモ書きする際に、卓上を滑って上手くメモ書きをおこなうことができないような場合には、当該メモ帳を手で押えることを要する場合がある。
【先行技術文献】
【特許文献】
【０００３】
【特許文献１】特開２００６−８２４６６号公報
【発明の概要】
【発明が解決しようとする課題】
【０００４】
しかしながら、このようなメモ帳では、卓上に載置された状態でこれにメモ書きする際に、メモ帳を手で押えることができない場合（例えば、一方の手に筆記具を持ち、他方の手で電話の受話器を持っているような場合）があり、これにメモ書きをおこなうことが困難な場合がある。
【０００５】
本発明は、以上のごとき状況に鑑みてなされたものであり、卓上に載置された状態で卓上を滑らないようにして、これを手で押えなくとも、その積層用紙のメモ用紙に、容易に、メモ書きをおこなうことができるメモ帳を提供することを課題とする。
【課題を解決するための手段】
【０００６】
本発明の解決しようとする課題は以上の如くであり、次にこの課題を解決するための手段を説明する。
【０００７】
即ち、請求項１においては、卓上に載置された状態でメモ書きに用いられる、メモ帳であって、複数枚のメモ用紙が積層されて構成される積層用紙と、シート状に構成され、前記卓上を滑ることを防止する防滑シートと、前記防滑シートが一方の面に合紙して配置されるとともに、前記積層用紙が他方の面に配置される台紙と、を備え、前記防滑シートは、セルロース繊維と、発泡剤と、アクリル系樹脂剤と、を主たる成分として構成される、ものである。
【０００８】
請求項２においては、前記防滑シートが裏面に設けられる表表紙を備える、ものである。
【０００９】
請求項３においては、複数枚のメモ用紙が積層されて構成される積層用紙と、
セルロース繊維と、発泡剤と、アクリル系樹脂剤と、を主たる成分として構成され、これらを混合してシート状に構成され、卓上を滑ることを防止する防滑シートと、前記防滑シートが一方の面に配置されるとともに、前記積層用紙が他方の面に配置される台紙と、を備え、前記卓上に載置された状態でメモ書きに用いられるメモ帳の製造方法であって、前記防滑シートを、前記台紙の一方の面に合紙して配置する工程と、前記積層用紙を、前記台紙の他方の面に配置する工程と、を備える、ものである。
【発明の効果】
【００１０】
本発明の効果として、以下に示すような効果を奏する。
即ち、本発明によれば、卓上に載置された状態で卓上を滑らないようにでき、これを手で押えなくとも、その積層用紙のメモ用紙に、容易に、メモ書きをおこなうことができる。
【図面の簡単な説明】
【００１１】
【図１】（ａ）は本発明の第一実施形態に係るメモ帳を示した斜視図、（ｂ）は同じく斜視図。
【図２】同じく一部拡大側面図。
【図３】（ａ）は同じく斜視図、（ｂ）は同じく斜視図。
【図４】本発明の第一実施形態に係るメモ帳の製造方法を示したフロー図。
【図５】（ａ）は本発明の第二実施形態に係るメモ帳を示した斜視図、（ｂ）は同じく斜視図。
【図６】本発明の第二実施形態に係るメモ帳の表表紙がめくり上げられて回動する状態を示した側面模式図。
【図７】（ａ）は同じくメモ帳の表表紙が積層用紙に被さるように配置された状態を示した一部拡大側面図、（ｂ）は同じくメモ帳の表表紙が裏表紙の下方に配置された状態を示した一部拡大側面図。
【図８】（ａ）は同じく一部斜視図、（ｂ）は同じく一部斜視図。
【図９】本発明の第二実施形態に係るメモ帳の製造方法を示したフロー図。
【図１０】（ａ）は本発明の第三実施形態に係るメモ帳を示した斜視図、（ｂ）は同じく斜視図。
【図１１】同じく斜視図。
【図１２】（ａ）は同じくメモ帳の表表紙が積層用紙に被さるように配置された状態を示した一部拡大側面図、（ｂ）は同じくメモ帳の表表紙が裏表紙の下方に配置された状態を示した一部拡大側面図。
【図１３】本発明の第三実施形態に係るメモ帳の製造方法を示したフロー図。
【発明を実施するための形態】
【００１２】
次に、本発明の第一実施形態に係るメモ帳１Ａについて、図１から図４を用いて説明する。
【００１３】
メモ帳１Ａは、卓上２に載置された状態でメモ書きに用いられるものであり、図１または図２に示すように、台紙１０と、積層用紙２０と、防滑部材３０と、を備える。
【００１４】
メモ帳１Ａの台紙１０は、平面視で四角形の板紙で構成される。
メモ帳１Ａの台紙１０の一方の面（表面１１）には、防滑部材３０が配置される。メモ帳１Ａの台紙１０の他方の面（裏面１２）には、積層用紙２０が配置される。
ここで、メモ帳１Ａの台紙１０の一方の面である表面１１とは、メモ帳１Ａが卓上２に載置された状態で卓上２を向く側の面を示す。メモ帳１Ａの台紙１０の他方の面である裏面１２とは、メモ帳１Ａが卓上２に載置された状態で卓上２を向く側と反対側の面を示す。
【００１５】
メモ帳１Ａの積層用紙２０は、複数枚のメモ用紙が積層されて構成される。
メモ帳１Ａの積層用紙２０は、その平面視における形状が台紙１０の平面視における形状と略同一形状となるように構成される。
【００１６】
メモ帳１Ａの積層用紙２０は、複数枚のメモ用紙がそれぞれの一端において互いに固定されて構成される。以下において便宜上、メモ帳１Ａの積層用紙２０における前記複数枚のメモ用紙が固定される部分を、固定部２１と称する。
メモ帳１Ａの積層用紙２０は、前記固定部２１において固定される複数枚のメモ用紙のうち任意の一枚のメモ用紙（例えば、最も上方に位置するメモ用紙）が、他のメモ用紙から分離可能に、構成される。
メモ帳１Ａの積層用紙２０の固定部２１は、前記複数枚のメモ用紙における一端がそれぞれ接着剤によって接着されて固定されて構成される。また、メモ帳１Ａの積層用紙２０の固定部２１は、前記複数枚のメモ用紙のうち任意の一枚のメモ用紙の一端を前記他のメモ用紙の一端から引き剥がすことができるような（前記任意の一枚のメモ用紙から前記他のメモ用紙を分離可能な）接着剤によって、複数枚のメモ用紙における一端がそれぞれ固定されて構成される。
【００１７】
メモ帳１Ａの積層用紙２０は、台紙１０の裏面１２に固定して設けられる。
メモ帳１Ａの積層用紙２０は、接着剤によって、その最も下方に配置されるメモ用紙における固定部２１側の端部が台紙１０の一端に固定されて、台紙１０の裏面１２に配置される。
【００１８】
メモ帳１Ａの防滑部材３０は、メモ帳１Ａが卓上２に載置された状態で、メモ帳１Ａが卓上２を滑ることを防止するものである。
メモ帳１Ａでは、防滑部材３０は、防滑シート３０ａで構成される。
【００１９】
メモ帳１Ａの防滑シート３０ａは、シート状に構成されて、メモ帳１Ａが卓上２に載置された状態で、メモ帳１Ａが卓上２を滑ることを防止するものである。
メモ帳１Ａの防滑シート３０ａは、セルロース繊維と、発泡剤と、アクリル系樹脂剤と、を主たる成分として構成され、これらを混合してシート状に構成したものである。メモ帳１Ａの防滑シート３０ａに発泡剤が含まれることにより、防滑シート３０ａ内において気泡を形成してこれの弾力性を向上させて、防滑シート３０ａの防滑性を向上させている。
メモ帳１Ａの防滑シート３０ａは、その平面視における形状が台紙１０の平面視における形状と略同一形状となるように構成される。
【００２０】
メモ帳１Ａの防滑シート３０ａは、台紙１０の表面１１に合紙されて配置される。
つまり、メモ帳１Ａの防滑シート３０ａは、メモ帳１Ａが卓上２に載置された状態で、メモ帳１Ａにおける卓上２と接触可能な部分のうち少なくとも一部に設けられる。
【００２１】
このように構成されたメモ帳１Ａでは、これが卓上２に載置された状態で、メモ帳１Ａが卓上２を滑ることを防止する防滑シート３０ａ（防滑部材３０）が、メモ帳１Ａにおける卓上２と接触可能な部分のうち少なくとも一部に設けられる。
したがって、メモ帳１Ａによれば、卓上２に載置された状態で卓上２を滑ることが防止して、これを手で押えなくとも、その積層用紙２０のメモ用紙に、容易に、メモ書きをおこなうことができる。
【００２２】
また、メモ帳１Ａは、シート状の防滑シート３０ａと、積層用紙２０が裏面１２に配置されるとともに防滑シート３０ａが合紙されて表面１１に配置される台紙１０と、を備える。
したがって、メモ帳１Ａによれば、卓上２に載置された状態で、メモ帳１Ａが卓上２を滑らないようにでき、その積層用紙２０のメモ用紙に、容易に、メモ書きをおこなうことができるものを、簡易構造で実現することができる。
【００２３】
なお、メモ帳１Ａにおける台紙１０、積層用紙２０、および、防滑シート３０ａは、本実施形態においては、平面視で四角形に構成されるが、このような形状に限定されるものではなく、例えば、平面視で、円形、楕円形、三角形や五角形等の多角形、または、所定のキャラクタの形状に構成されてもよい。
また、メモ帳１Ａにおける台紙１０は、薄紙で構成されてもよい。また、メモ帳１Ａは、その台紙１０に代えて、樹脂素材からなる板状の部材を備える構成であってもよい。
また、メモ帳１Ａの積層用紙２０または防滑シート３０ａは、その平面視における形状が台紙１０の平面視における形状と異なるように構成されてもよい。
また、メモ帳１Ａの積層用紙２０は、台紙１０の裏面１２に接着剤によって固定されることに限定せず、ステープラやリング部材や螺旋状の部材等の固定具によって、メモ帳１Ａの積層用紙２０が台紙１０の裏面１２に固定されてもよい。
メモ帳１Ａでは、これが卓上２に載置された状態で当該卓上２を滑らないように防滑シート３０ａが配置されればよい。即ち、メモ帳１Ａでは、その防滑シート３０ａは台紙１０の表面１１の一部にのみ配置されていてもよい。例えば、メモ帳１Ａの防滑シート３０ａは、台紙１０の表面１１における積層用紙２０の固定部２１側と反対側の端部に配置されてもよく（図３（ａ）参照）、台紙１０の表面１１における略中央部に配置されてもよく（図３（ｂ）参照）、また、台紙１０の表面１１において複数箇所（例えば、台紙１０の表面１１の四隅）に配置されてもよい。
【００２４】
次に、メモ帳１Ａの製造方法における一連の動作について、説明する。
【００２５】
図４に示すように、防滑シート３０ａを台紙１０の表面１１に合紙して配置する工程（ステップＳ１１）をおこなう。
前記防滑シート３０ａと台紙１０との合紙は、例えば、合紙機によっておこなう。
このようにして、メモ帳１Ａにおける防滑シート３０ａ付きの台紙１０を得る。
【００２６】
次に、前記ステップＳ１１において得られた、防滑シート３０ａ付きの台紙１０の裏面１２に、積層用紙２０を配置する工程（ステップＳ１２）をおこなう。
例えば、メモ帳１Ａの積層用紙２０を、接着剤によって、台紙１０の裏面１２に固定して配置する。またこの際、積層用紙２０の最も下方に配置されるメモ用紙における固定部２１側の端部を台紙１０の一端に固定するようにして、台紙１０の裏面１２に積層用紙２０を配置する。
【００２７】
以上のようにして、メモ帳１Ａは製造される。
このように、メモ帳１Ａの製造方法によれば、卓上２に載置された状態で、メモ帳１Ａが卓上２を滑らないようにでき、その積層用紙２０のメモ用紙に、容易に、メモ書きをおこなうことができるものを、簡易な方法で実現することができる。
【００２８】
なお、メモ帳１Ａでは、積層用紙２０における台紙１０の裏面１２への固定は、このような方法に限定されるものではなく、適宜の方法によってされるものである。また、メモ帳１Ａでは、積層用紙２０と台紙１０の裏面１２との固定箇所は、このような箇所に限定されるものではなく、適宜の箇所で固定されるものである。
【００２９】
次に、本発明の第二実施形態に係るメモ帳１Ｂについて、図５から図９を用いて説明する。
なお、第二実施形態に係るメモ帳１Ｂは、第一実施形態に係るメモ帳１Ａと同様の構成を有する部分があるため、メモ帳１Ｂの説明は、メモ帳１Ａと同様の構成の部分については適宜省略し、メモ帳１Ａの構成と異なる部分を中心に説明する。
【００３０】
メモ帳１Ｂは、図５に示すように、表紙５０Ｂと、防滑部材３０と、積層用紙２０と、を備える。
【００３１】
メモ帳１Ｂの表紙５０Ｂは、裏表紙６０と、背表紙７０と、表表紙８０と、を有する。
メモ帳１Ｂの表紙５０Ｂにおける裏表紙６０は、台紙１０として構成される。メモ帳１Ｂの表紙５０Ｂにおける裏表紙６０（台紙１０）の裏面６２（裏面１２）には、積層用紙２０が配置される。
メモ帳１Ｂの表紙５０Ｂにおける背表紙７０は、その裏表紙６０と表表紙８０とに連接される。メモ帳１Ｂの表紙５０Ｂにおける背表紙７０は、積層用紙２０の固定部２１の外側に配置される。
【００３２】
メモ帳１Ｂの表紙５０Ｂにおける表表紙８０は、背表紙７０に連接される。メモ帳１Ｂの表紙５０Ｂにおける表表紙８０は、背表紙７０を介して裏表紙６０に連接される。
メモ帳１Ｂの表紙５０Ｂにおける表表紙８０は、積層用紙２０における最も上方に位置するメモ用紙の上方に配置される。メモ帳１Ｂの表紙５０Ｂにおける表表紙８０は、積層用紙２０における最も上方に位置するメモ用紙に被さるように配置される（図５または図７（ａ）参照）。
メモ帳１Ｂの表紙５０Ｂにおける表表紙８０は、メモ帳１Ｂがメモ書きに用いられる際に、予め、めくり上げられるものである（図５（ｂ）参照）。メモ帳１Ｂの表紙５０Ｂにおける表表紙８０は、メモ書きに用いられる際にめくり上げられて、背表紙７０を軸に回動して、裏表紙６０の下方に配置可能（その裏表紙６０と卓上２との間に配置可能）に構成される（図６または図７（ｂ）参照）。
【００３３】
メモ帳１Ｂでは、防滑部材３０は、シート状の防滑シート３０ｂで構成される。
メモ帳１Ｂの防滑シート３０ｂは、その表紙５０Ｂにおける表表紙８０の裏面８２に設けられる。
ここで、メモ帳１Ｂの表紙５０Ｂにおける表表紙８０の裏面８２とは、積層用紙２０における最も上方に位置するメモ用紙の上方に被さるように配置された際に、当該最も上方に位置するメモ用紙側を向く面（当該最も上方に位置するメモ用紙側と向き合う面）を示す。また、メモ帳１Ｂの表紙５０Ｂにおける表表紙８０の表面８１とは、積層用紙２０における最も上方に位置するメモ用紙の上方に被さるように配置された際に、当該最も上方に位置するメモ用紙側を向く面と反対側の面（上方を向く面）を示す。
【００３４】
メモ帳１Ｂでは、これがメモ書きに用いられる際に、その表紙５０Ｂにおける表表紙８０がめくり上げられて回動して裏表紙６０の下方に配置されたときに、表表紙８０の裏面８２が卓上２側を、表表紙８０の表面８１が台紙１０側を、向くこととなる。
メモ帳１Ｂでは、これがメモ書きに用いられる際に、その表紙５０Ｂにおける表表紙８０がめくり上げられて裏表紙６０の下方に配置され、これが卓上２に載置された状態では、表紙５０Ｂにおける表表紙８０の裏面８２に設けられた防滑シート３０ｂが、卓上２と接触した状態となる（図６または図７（ｂ）参照）。
つまり、メモ帳１Ｂの防滑シート３０ｂは、メモ帳１Ｂがメモ書きに用いられる際に、これが卓上２に載置された状態で、メモ帳１Ｂにおける卓上２と接触可能な部分のうち少なくとも一部に設けられる。
【００３５】
このように構成されたメモ帳１Ｂでは、これが卓上２に載置された状態で、メモ帳１Ｂが卓上２を滑ることを防止するシート状の防滑シート３０ｂが、メモ帳１Ｂにおける卓上２と接触可能な部分のうち少なくとも一部に設けられる。
したがって、メモ帳１Ｂによれば、卓上２に載置された状態で卓上２を滑らないようにでき、これを手で押えなくとも、その積層用紙２０のメモ用紙に、容易に、メモ書きをおこなうことができる。
【００３６】
またこのように、メモ帳１Ｂが表紙５０Ｂを備える構成（メモ書きに用いられる際にめくり上げられて裏表紙６０の下方に配置される表表紙８０を備える構成）であっても、メモ帳１Ｂでは、その防滑シート３０ｂが表紙５０Ｂにおける表表紙８０の裏面８２に設けられるため、これをメモ書きに用いられる際に、その表紙５０Ｂにおける表表紙８０をめくり上げて裏表紙６０の下方に配置して、防滑シート３０ｂを卓上２と接触した状態とすることができる。
したがって、メモ帳１Ｂによれば、これが表表紙８０を備える構成であっても、卓上２に載置された状態で卓上２を滑らないようにでき、これを手で押えなくとも、その積層用紙２０のメモ用紙に、容易に、メモ書きをおこなうことができる。
【００３７】
なお、メモ帳１Ｂでは、これが卓上２に載置された状態で当該卓上２を滑らないように防滑シート３０ｂが配置されればよい。即ち、メモ帳１Ｂでは、その防滑シート３０ｂは表紙５０Ｂにおける表表紙８０の裏面８２の一部にのみ配置されていてもよい。例えば、メモ帳１Ｂの防滑シート３０ｂは、表紙５０Ｂにおける表表紙８０の裏面８２の背表紙７０側と反対側の端部に配置されてもよく（図８（ａ）参照）、表紙５０Ｂにおける表表紙８０の裏面８２の略中央部に配置されてもよく（図８（ｂ）参照）、また、表紙５０Ｂにおける表表紙８０の裏面８２において複数箇所（例えば、表表紙８０の裏面８２の四隅）に配置されてもよい。
また、シート状の防滑シート３０ｂは、表紙５０Ｂにおける表表紙８０の裏面８２に合紙されて設けられてもよく、また、粘着されて設けられてもよい。
また、メモ帳１Ｂの防滑部材３０は、液体状に構成されて、表紙５０Ｂにおける表表紙８０の裏面８２に塗布されるようなものでもよい。
【００３８】
また、メモ帳１Ｂでは、その表紙５０Ｂにおける背表紙７０と裏表紙６０、および、背表紙７０と表表紙８０とがそれぞれ連接されてこれらが一体的に構成されるが、裏表紙６０と背表紙７０と表表紙８０とを別体として構成してもよい。
また、メモ帳１Ｂでは、その表紙５０Ｂは、裏表紙６０と、背表紙７０と、表表紙８０と、を有するが、背表紙７０を備えない構成であってもよい。例えば、メモ帳１Ｂでは、その表紙５０Ｂが裏表紙６０と表表紙８０とを有し、裏表紙６０と表表紙８０と積層用紙２０とがそれぞれステープラやリング部材や螺旋状の部材等の固定具によって固定されてもよい。
【００３９】
次に、メモ帳１Ｂの製造方法における一連の動作について、説明する。
【００４０】
図９に示すように、防滑シート３０ｂを表紙５０Ｂにおける表表紙８０の裏面８２配置する工程（ステップＳ２１）をおこなう。
前記防滑シート３０ｂの表紙５０Ｂにおける表表紙８０への配置は、例えば、前記防滑シート３０ｂと表紙５０Ｂにおける表表紙８０とを合紙することによっておこなうことや、前記防滑シート３０ｂを表紙５０Ｂにおける表表紙８０に粘着することによっておこなう。
前記防滑シート３０ｂと表紙５０Ｂにおける表表紙８０との合紙は、例えば、合紙機によっておこなう。
このようにして、メモ帳１Ｂにおける防滑シート３０ｂ付きの表紙５０Ｂを得る。
【００４１】
次に、前記ステップＳ２１において得られた、防滑シート３０ｂ付きの表紙５０Ｂにおける裏表紙６０の裏面６２に、積層用紙２０を配置する工程（ステップＳ２２）をおこなう。
例えば、メモ帳１Ｂの積層用紙２０を、接着剤によって、裏表紙６０の裏面６２に固定して配置する。またこの際、積層用紙２０の最も下方に配置されるメモ用紙における固定部２１側の端部を裏表紙６０の裏面６２一端に固定するようにして、裏表紙６０の裏面６２に配置する。
【００４２】
以上のようにして、メモ帳１Ｂは製造される。
このように、メモ帳１Ｂの製造方法によれば、卓上２に載置された状態で、メモ帳１Ｂが卓上２を滑らないようにでき、その積層用紙２０のメモ用紙に、容易に、メモ書きをおこなうことができるものを、簡易な方法で実現することができる。
【００４３】
なお、メモ帳１Ｂでは、積層用紙２０における裏表紙６０の裏面６２への固定は、このような方法に限定されるものではなく、適宜の方法によってされるものである。また、メモ帳１Ｂでは、積層用紙２０と裏表紙６０の裏面６２との固定箇所は、このような箇所に限定されるものではなく、適宜の箇所で固定されるものである。
【００４４】
また、ステップＳ２１における防滑シート３０ｂを表紙５０Ｂにおける表表紙８０の裏面８２配置する工程に代えて、液体状に構成された防滑部材３０を、表紙５０Ｂにおける表表紙８０の裏面８２に塗布する工程をおこなってもよい。
【００４５】
次に、本発明の第三実施形態に係るメモ帳１Ｃについて、図１０から図１３を用いて説明する。
なお、第三実施形態に係るメモ帳１Ｃは、第一実施形態に係るメモ帳１Ａおよび第二実施形態に係るメモ帳１Ｂと同様の構成を有する部分があるため、メモ帳１Ｃの説明は、メモ帳１Ａ・１Ｂと同様の構成の部分については適宜省略し、メモ帳１Ａ・１Ｂの構成と異なる部分を中心に説明する。
【００４６】
メモ帳１Ｃは、図１０または図１１に示すように、表紙５０Ｃと、積層用紙２０と、防滑シート３０ａ・３０ｂと、を備える。
【００４７】
メモ帳１Ｃの表紙５０Ｃは、裏表紙６０と、背表紙７０と、表表紙８０と、を有する。
メモ帳１Ｃの表紙５０Ｃにおける裏表紙６０は、台紙１０として構成される。メモ帳１Ｃの表紙５０Ｃにおける裏表紙６０（台紙１０）の裏面１２には、積層用紙２０が配置される。
【００４８】
メモ帳１Ｃの防滑シート３０ａは、その表紙５０Ｃにおける裏表紙６０の表面６１に設けられる。メモ帳１Ｃの防滑シート３０ａは、その表紙５０Ｃにおける表表紙８０の裏面８２にそれぞれ設けられる。
つまり、メモ帳１Ｃの防滑シート３０ａ・３０ｂは、メモ帳１Ｃが卓上２に載置された状態で、メモ帳１Ｃにおける卓上２と接触可能な部分のうち少なくとも一部に設けられる。
【００４９】
このように構成されたメモ帳１Ｃでは、これがメモ書きに用いられる際に、めくり上げたその表紙５０Ｃにおける表表紙８０を、その表紙５０Ｃにおける裏表紙６０の下方に配置しなくても、防滑シート３０ａが卓上２と接触した状態となる（図１２（ａ）参照）。
また、メモ帳１Ｃでは、これがメモ書きに用いられる際に、めくり上げたその表紙５０Ｃにおける表表紙８０を、その表紙５０Ｃにおける裏表紙６０の下方に配置した際には、防滑シート３０ｂが卓上２と接触した状態となる（図１２（ｂ）参照）。
したがって、メモ帳１Ｃによれば、めくり上げたその表紙５０Ｃにおける表表紙８０をその表紙５０Ｃにおける裏表紙６０の下方に配置しても、また、配置しなくても、卓上２に載置された状態で卓上２を滑らないようにでき、これを手で押えなくとも、その積層用紙２０のメモ用紙に、容易に、メモ書きをおこなうことができる。
【００５０】
次に、メモ帳１Ｃの製造方法における一連の動作について、説明する。
【００５１】
図１３に示すように、防滑シート３０ａ・３０ｂを、表紙５０Ｃにおける裏表紙６０の表面６１、および、表表紙８０の裏面８２に配置する工程（ステップＳ３１）をおこなう。
防滑シート３０ａの表紙５０Ｃにおける裏表紙６０の表面６１への配置は、防滑シート３０ａと裏表紙６０の表面６１とを合紙することによっておこなう。前記防滑シート３０ｂの表紙５０Ｃにおける表表紙８０の裏面８２への配置は、前記防滑シート３０ｂと表紙５０Ｂにおける表表紙８０とを合紙することによっておこなうことや、前記防滑シート３０ｂを表紙５０Ｂにおける表表紙８０に粘着することによっておこなう。
前記の防滑シート３０ａ・３０ｂと、表紙５０Ｃにおける裏表紙６０および表表紙８０と、の合紙は、例えば、合紙機によっておこなう。
このようにして、メモ帳１Ｃにおける防滑シート３０ａ・３０ｂ付きの表紙５０Ｃを得る。
【００５２】
次に、前記ステップＳ３１において得られた、防滑シート３０ａ・３０ｂ付きの表紙５０Ｃにおける裏表紙６０の裏面６２に、積層用紙２０を配置する工程（ステップＳ３２）をおこなう。
例えば、メモ帳１Ｃの積層用紙２０を、接着剤によって、その最も下方に配置されるメモ用紙における固定部２１側の端部を裏表紙６０の裏面６２一端に固定するようにして、裏表紙６０の裏面６２に配置する。
【００５３】
以上のようにして、メモ帳１Ｃは製造される。
このように、メモ帳１Ｃの製造方法によれば、卓上２に載置された状態で、メモ帳１Ｃが卓上２を滑らないようにでき、その積層用紙２０のメモ用紙に、容易に、メモ書きをおこなうことができるものを、簡易な方法で実現することができる。
【００５４】
また、ステップＳ３１における防滑シート３０ｂを表紙５０Ｃにおける表表紙８０の裏面８２配置する工程に代えて、液体状に構成された防滑部材３０を、表紙５０Ｃにおける表表紙８０の裏面８２に塗布する工程をおこなってもよい。
【符号の説明】
【００５５】
１Ａ    メモ帳
２      卓上
１０    台紙
２０    積層用紙
３０ａ  防滑シート
【図１】
0005736146.tif 000002
【図２】
0005736146.tif 000003
【図３】
0005736146.tif 000004
【図４】
0005736146.tif 000005
【図５】
0005736146.tif 000006
【図６】
0005736146.tif 000007
【図７】
0005736146.tif 000008
【図８】
0005736146.tif 000009
【図９】
0005736146.tif 000010
【図１０】
0005736146.tif 000011
【図１１】
0005736146.tif 000012
【図１２】
0005736146.tif 000013
【図１３】
0005736146.tif 000014